(57)【要約】【課題】内部圧及び／又は外力による変形に対してより抵抗力のある容器を提供する。【解決手段】本発明は、液体、例えば飲料および油用の容器（１）であって、シェル（９）に囲まれたケーシング（２）、および該容器（１）から該液体を分配するためのバルブ（３）を備えた該容器（１）に関する。該ケーシング（２）および該シェル（５）は、相互に対して少なくとも局所的に積極的に固定されている。【選択図】図１
2016529174.tif 000002
【特許請求の範囲】
【請求項１】
液体、例えば飲料および油のための容器（１）であって、シェル（９）により囲まれたケーシング（２）、および該容器（１）から該液体を分配するためのバルブ（３）を備え、
該ケーシング（２）および該シェル（５）は、相互に対して少なくとも局所的には積極的に固定されていることを特徴とする、
上記容器（１）。
【請求項２】
該ケーシング（２）及び該シェル（５）の壁が、接着、溶接または突出係止部（８、９）によって、相互に対して積極的に固定されている、請求項1に記載の容器（１）。
【請求項３】
該ケーシング（２）及び／又は該シェル（５）の該壁は、外周状突出部（８、９）を備えて、該壁と該突出部の２つを軸方向に積極的に係止する、請求項1または２に記載の容器（１）。
【請求項４】
該バルブ（３）は、該ケーシング（３）の一部分であるか、または該ケーシング（３）に搭載されているか、または該ケーシング（３）内に在り、該シェル（５）は、該バルブ（３）を覆ってフィットする頚部（６）を備え、かつ該突出部（８）は、該頚部（６）に、または該頚部（６）内に置かれ、該バルブ（３）の下方で、上方で、または上に係止している、請求項３に記載の容器（１）。
【請求項５】
該ケーシング（２）は、該シェル（５）内にスナップ係合されている、請求項１〜４のいずれか１項に記載の容器（１）。
【請求項６】
固定は、該バルブ（３）に位置し、かつ一方で該バルブ（３）及び／又はケーシング（２）と他方で該シェル（５）との間の外周の防水封止を備えている、請求項１〜５のいずれか１項に記載の容器（１）。
【請求項７】
ケーシング（２）は、少なくとも１０リットルの内容積を有し、かつ該ケーシング（２）の幅に対する長さの比（Ｌ／Ｄ）は、１．３を超え、好ましくは、１．８を超え、及び／又は、該容器（１）は、該容器（１）の高さの少なくとも２５％を超えて、好ましくは少なくとも４０％を超えて、より好ましくは少なくとも５０％を超えて延在するところの円筒形状部分（２Ａ）を備え、及び／又は、該シェル（９）は、少なくとも該ケーシングが押圧されるときに、該ケーシング（２）を支持する、請求項１〜６のいずれか１項に記載の容器（１）。
【請求項８】
該シェル（５）は、該ケーシング（２）と当接している上側部分、および下側部分を備え、該下側部分は、軸方向に該ケーシング（２）および該シェル（５）を積極的に係止している外周状突出部（８、９）を備えている、請求項１〜７のいずれか１項に記載の容器（１）。
【請求項９】
該突出部は、局所的な締め付けにより規定されているか、または局所的な締め付けを備えている、請求項８に記載の容器（１）。
【請求項１０】
該突起部（９）は、該ケーシング（２）の底部に当接するか、またはほぼ当接している、請求項３〜９のいずれか１項に記載の容器（１）。
【請求項１１】
該ケーシング（２）及び／又はシェル（５）は、該ケーシングを軸方向に積極的に係止する別の外周状突出部（９）を備えている、請求項１〜１０のいずれか１項に記載の容器（１）。
【請求項１２】
第１突出部（８）は、該ケーシング（２）の最も幅広の部分の上または中に置かれ、及び／又は、該別の突出部（９）は前記最も幅広の部分の下または中に置かれている、請求項１１に記載の容器（１）。
【請求項１３】
潤滑剤が、好ましくは円筒形状部分で、該ケーシング（２）と該シェル（５）の間に置かれる、請求項１〜１２のいずれか１項に記載の容器（１）。
【請求項１４】
該ケーシング（２）および該シェル（５）は、ブロー成形物、好ましくは延伸ブロー成形熱可塑性材料、好ましくはポリエステルから作られている、請求項１〜１３のいずれか１項に記載の容器（１）。
【請求項１５】
該突出部（９、１０）の少なくとも１つは、該シェル（５）の壁の締め付けにより画定される、請求項１〜１４のいずれか１項に記載の容器（１）。
【発明の詳細な説明】
【技術分野】
【０００１】
本発明は、液体、例えば飲料および油用の容器であって、シェルによって囲まれたケーシングおよび該容器から該液体を分配するためのバルブを備えている容器に関する。
【背景技術】
【０００２】
欧州特許第2 038 187号公報は、流体、特に液体、例えばビール又は水用の容器であって、外側ケーシング、好ましくは回転楕円体で且つ剛性の材料で作られたもの、該外側ケーシングの内部に置かれた可撓性材料の、気体及び／又は液体密閉内側ケーシング、該容器を流体で充填するためのバルブ部分、および、少なくとも充填の間、該外側ケーシング（２）の内部が該外側とそれを介して連絡するところの少なくとも１つのベントを備えたものに関する。1実施態様において、該ケーシングは、射出成形されたＰＥＴで作られている。
【０００３】
液体用の多くの容器は、使用中に高い内部圧を受ける。例えば、気体を含む飲料は、該飲料から該気体が逃げるのを防ぐために、上昇された圧力で、典型的には１〜４バールの範囲内（過圧）で保持されなければならない。また、相対的に高い粘性を有する液体、および、より低い高さ、例えばセラーから分配される液体は、摩擦および静水圧の夫々に打ち勝つために相対的に高い容器内圧力を必要とする。高温および安全ガイドラインの不順守はまた、高い内部圧を導きうる。さらに、液体用の多くの容器が、使用中に高い外力を受ける。例えば容器は、パレット（荷役台）に載せられ及び／又は積み重ねられる。
【発明の概要】
【発明が解決しようとする課題】
【０００４】
本発明の目的は、内部圧及び／又は外力による変形に対してより抵抗力のある容器を提供することである。
【課題を解決するための手段】
【０００５】
この目的のために、本発明に従う該容器は、該ケーシングおよび該シェルは、相互に対して少なくとも局所的に積極的に固定され、好ましくは少なくとも軸方向に、及び／又は、好ましくは接着、溶接または突出係止部（８、９）により固定されていることを特徴とする。固定を壊すのに必要な、及び／又は、固定の場所を越えてケーシングを動かすのに必要な力は、少なくとも１００Ｎ、好ましくは少なくとも２００Ｎ、より好ましくは少なくとも３００Ｎ、好ましくは少なくとも４００Ｎ、好ましくは少なくとも５００Ｎであることが好ましく、ここでの力はケーシングとシェルの両者に、かつ容器の中心軸に一致して又は平行に、各反対方向にかけられる。
【０００６】
１実施態様において、該ケーシング及び／又は該シェルは、これら両者を軸方向に積極的に係止する外周状の、必ずしも連続でなくてよい、例えば連続または断続的な突出部を備えている。
【０００７】
本発明により与えられたような固定は、シェル内部へのケーシングの移動を防止または低減し、これにより例えば、容器を充填ヘッド上に位置決めすること、または分配ヘッドをバルブ上に位置決めすることを容易にし、及び／又は、ケーシングが押圧され及び／又は高圧若しくは高温に曝されるときに、ケーシングが容器の底部を変形させるリスクを低減する。容器の底部の一様でない変形は、該容器のぐらつきをもたらし、複数の容器を積み上げるのを害する。
【０００８】
１実施態様において、バルブは、ケーシングの一部分、またはケーシングに搭載され、またはケーシング内にあり、シェルは、該バルブにかぶさりフィットする頚部を備え、かつ突出部は、該頚部に又は頚部内に置かれ、該バルブの下方で、上方で、または上で係止する。例えば、該バルブは切り込みを備え、かつシェルは、該切り込み内に係止する内向きに突出する隆起部を備える。さらなる改良では、ケーシングは該シェルにスナップ係合される。これは、容器の組み立てを容易にし、ひいてはコストを低減する。
【０００９】
別の実施態様において、固定部はバルブに置かれ、一方でバルブ及び／又はケーシングと他方でシェルとの間に外周の防水封止を備えている。したがって、例えば結合または分離の間に、液体がバルブまたは分配ヘッドから漏れ若しくはこぼれるとき、そのような液体は、或る構成においてはケーシングとシェルの間に存在するところの空間に入るのを妨げられる。
【００１０】
１実施態様において、ケーシングは少なくとも１０リットルの内部容積を有し、そしてケーシングの長さの幅に対する比（Ｌ／Ｄ）は、１．３を超え、好ましくは、１．８を超え、及び／又は、該容器は、該容器の高さの少なくとも２５％を超えて、好ましくは少なくとも４０％を超えて、より好ましくは少なくとも５０％を超えて延在するところの円筒形状部分を備え、及び／又は、該シェルは、少なくとも該ケーシングが押圧されるときに、該ケーシングを支持している。
【００１１】
１実施態様において、該シェルは、該ケーシングと当接している上側部分、および下側部分を備え、該下側部分は、軸方向に該ケーシングおよび該シェルを積極的に係止している外周状突出部を備えている。さらなる改良では、該突出部は、局所的な締め付けにより画定され又は局所的な締め付けを備え、及び／又はケーシングの底部と当接し又はほぼ当接している。
【００１２】
別の実施態様において、該ケーシング及び／又はシェルは、該ケーシングを軸方向に積極的に係止する別の外周状突出部を備えている。さらなる改良では、第１突出部は、該ケーシングの最も幅広の部分、例えば円筒形状部分または赤道の上方に置かれ、及び／又は、該別の突出部は前記最も幅広の部分の下方に置かれている。
【００１３】
該別の突出部がその部分の下方に置かれているとき、それは、それが膨張するときケーシングを支持し得、且つケーシングが該別の突出物上に支えられているとき又は一度支えられると、ケーシングの更なる膨張に抵抗するのを助ける。突出物で接触する領域は、少なくとも１ｍｍ、好ましくは２ｍｍ、好ましくは３ｍｍの幅を有することは好ましい。１の突出物または複数の突出物が、例えばシェルの内側壁に対して、少なくとも１ｍｍ、好ましくは少なくとも２ｍｍ、好ましくは少なくとも３ｍｍ、例えば４又は５ｍｍの高さを有することはさらに好ましい。
【００１４】
１実施態様において、シェルは、ケーシングに当接する上側または中間部分、およびケーシングがない下側部分を備え、そして該下側部分は、特徴、例えばエンボス加工（内側に及び／又は外側に延在する窪みの規則的な模様）、または別の突出物（局所的に増加する実効的な壁厚および座屈抵抗）を備えている。下側部分の増加する座屈抵抗は、互いの上へ、より多くの容器（の荷台）を積み上げることを可能にし、且つ動的負荷への抵抗を改善することが見出された。
【００１５】
ケーシングおよびシェルが、相互に対して積極的には固定されていない容器の使用に適している実施態様において、該シェルは、ケーシングに当接する上側部分およびケーシングがない下側部分を備え、そして該下側部分は、特徴、例えば１以上の切り込み、スリット、又は折り、別の周方向の突出部若しくは複数の別の突出部、例えば２、３、４、又は５個の別の突出物、好ましくは少なくとも容器の軸方向に局所的に増加する壁の可撓性を備えている。このように、負荷、例えば別の容器が、該容器の頂部上に置かれるとき、該シェルは、該ケーシングが物品、例えば下の別の容器の表面に保持されるまで例えば垂直方向に短くなる。その結果、ケーシングは、それが圧力を加えられるとき、一層その負荷（の一部）を支持し、及び／又は、移動させる。
【００１６】
１実施態様において、該特徴は、蛇腹、例えば該先述された別の複数の突出物により、または下側部分の壁のジグザグ断面により形成されたようなものを備える。
【００１７】
本発明に従う容器において、少なくとも１つの突出部は、シェルの壁の締め付け、例えばシェルの内側の環状突出物およびシェルの外側の環状ノッチを備えることにより規定されることが好ましい。そのような締め付けは、例えばシェルを回転させ、そして局所的に加熱することによって形成されうる。
【００１８】
１実施態様において、容器は、例えば上で記載された特徴の全て若しくは部分を備えている、シェルに若しくはシェル内に固定された、及び／又は、ケーシングに固定された、任意的には異なる材料で作られた、分離して形成された足を備えている。
【００１９】
ケーシングおよびシェルが相互に積極的には固定されていない容器における使用に適している実施態様において、潤滑剤、例えば水、シリコーン、熱可塑性の、例えばＰＥまたはＰＴＦＥの薄膜若しくはスリーブ、油、または粉末が、ケーシングとシェルの間に、好ましくは円筒状部分（もし存在すれば）に存在する。シェルの内側でのケーシングの膨張の間、例えば、ケーシングが充填されるとき又はケーシングの内側圧力が増大するとき、その公称破裂強度以下でのケーシングの破裂の根源にあると信じられているところのスティックスリップ現象（びびり）が生じうる。潤滑剤は、そのようなスティックスリップを、ひいてはスティックスリップに由来する有害な効果を低減または防止さえする。
【００２０】
１実施態様において、ケーシングおよびシェルは、ブロー成形、好ましくは延伸ブロー成形の熱可塑性物質、好ましくはポリエステルから作られている。
【００２１】
別の実施態様は、液体を容れるための且つバルブと連絡しているケーシングの内部に置かれた可撓性材料の液密内部容器、例えばバッグを備えている。
【００２２】
別の実施態様において、ケーシング及びシェルの両方の壁厚は、合計壁厚が２．０ｍｍまで、及び例えば、シェルの複数の部分が相互に重なっていると、局所的には３．０ｍｍまでという条件の下で、０．１〜１．０ｍｍの範囲内、好ましくは０．３〜０．６ｍｍの範囲内であり、それは現在のところ単一のプリフォームをブローすることによって達成することができない。
【００２３】
別の実施態様において、容器は、圧縮されたガスを充填され、飲料はない、すなわち容器は、充填の前に、例えば１．５バールを超える圧力での空気又は二酸化炭素、及び／又は窒素で圧力を加えられ。このように、容器は、ガスを含む液体、例えばビール、発泡性ワイン、及びソフトドリンクで容易に充填されうる。
【００２４】
国際公開第00/78665号は、ビール容器であって、ビールを容れるためのブロー成形ＰＥＴの内部中空シェルと、成形された高密度ポリエチレン（ＨＤＰＥ）の外側中空シェルと、および内部シェルを囲みかつ支持し且つ内部シェルの底内側領域から外側シェルの頂部での分配出口まで通る分配チューブを含む槍構造とを備えた該容器に関する。
【００２５】
米国特許出願公開第2010/0077790号明細書は、外側容器および内側ライナーを含んでいるプラスチック・ビール・ケグに関する。取り外し可能な蓋が、ライナーを囲むように開口部を覆って容器に固定される。使用中、該蓋は、取り外し可能であり、そして氷が容器内にライナー上に直接に置かれ、氷は、ライナーの内容物の急速な冷却を与えるようにライナーと容器の間の空隙内に流れ込む。
【００２６】
国際公開第2011/134949号は、液体、例えば飲料および油用の容器であって、ブロー成形ポリエステルケーシング、容器から液体を分配するためのバルブ、およびプロペラントを導入する入口を備えている容器に関する。該ケーシングは、延伸ブロー成形ポリエステルシェルによって取り囲まれている。
【００２７】
欧州特許出願公開第1 947 029号公報は、ライナーインケグ・ビール分配パッケージに関しており、それは、ビールを容れるための、および例えば該器具の操作の工程においてライナーとケグの間の加圧流体の導入によりビールを分配するための塩化ビニリデンベースの高分子気体障壁ライナーを含んでいる。任意的に、該パッケージは、上側縁および下側縁を有する支持シェルを備え、該シェルによってケグをその中に取り囲んでいる。
【００２８】
日本国実用新案出願公開第昭５３‐３９５９９号公報は、（金属）ケグであるように見えるものを示す図面を含んでいる。
【００２９】
本発明の枠組み内において、「延伸ブロー成形」は、ブロー成形を言い、そして円周（輪状）方向および軸方向の両方にプリフォームを延伸することを指す。用語「回転楕円体」は、円または丸められた角を有する正方形若しくは長方形、または楕円形若しくは卵形の、それらの長軸または短軸の回りの半回転によって生成される任意の形状を含んでいる。
【００３０】
本発明は以後、本発明の好ましい実施態様を示している図面を参照しつつより詳細に説明されよう。
【図面の簡単な説明】
【００３１】
【図１】本発明に従う容器の斜視図である。
【図２Ａ】図１の容器の断面図である。
【図２Ｂ】図２Ａの容器の断面図の拡大詳細図である。
【図２Ｃ】図２Ａの容器の断面図の拡大詳細図である。
【図３】本発明に従う容器の側面図であり、該容器の下側部分の座屈抵抗を増すための特徴を有している。
【図４】本発明に従う容器の側面図であり、該容器の下側部分の座屈抵抗を増すための別の特徴を有している。
【図５】本発明に従う容器の側面図であり、該容器の下側部分の座屈抵抗を増すためのさらに別の特徴を有している。
【発明を実施するための形態】
【００３２】
図面は、必ずしも縮尺通りではなく、且つ本発明の理解に必要のない詳細は省略されている。さらに、少なくとも実質的に同一であるところの、又は少なくとも実質的に同一の機能を果たすところの要素は、同じ参照符号で表示されている。
【００３３】
図１〜２Ｃは、気体を含む飲料、特にビール用の容器１であって、ポリエステルプリフォーム、特にＰＥＴ（ポリエチレンテレフタレート）を延伸ブロー成形することによって作られたケーシング２を有する。ケーシング２は、実質的に円筒状の中間部分２Ａおよび頂部ドーム２Ｂ及び底部ドーム２Ｃを備えている。頂部ドーム２Ｂは、該プリフォームの変形されていない部分により形成された中央開口部を有している。
【００３４】
容器から飲料を分配するためのバルブ部分３は、該開口部にスナップ止めされている。より詳しくは、この及び別の適切なバルブ部分について、国際公開第00/07902号が参照される（特に、図４Ａおよび４Ｂと関連する８頁、１２行以下を見よ）。
【００３５】
この例において、飲料を受け取るための気密バッグ（図示されていない）は、バルブ部分３に接続され、そしてケーシング２内に置かれている。
【００３６】
ケーシング２は、延伸ブロー成形されたポリエステルシェル５によって包まれている。該シェルは、該ケーシングについて用いられたものと類似の、しかし異なる縁を有するプリフォームからブロー成形された、すなわち、シェルの頂部部分はさらに、バルブ部分の周りに延在し、バルブ部分を保護し、且つねじ入れ若しくはスナップ係合、例えば容器上のグリップのための頂部開口の周りの外ねじ山または環状突出部を備えている襟６を備える。
【００３７】
該ケーシング、それは好ましくは、内部圧に耐え且つ飲料を容れているバッグへの損傷を回避するために円筒と２つのドームで規定された滑らかな形状を有すべきである、とは対照的に、シェルは、追加的な機能性を与える１以上の特徴を備えうる。
【００３８】
シェルは、シェルの底に相対的に近いシェル５の、１の外周線に沿って（即ち、輪の方向に）分離された、２つの部分５Ａ、５Ｂを備えて、シェルの頂部部分はケーシングより長い。その結果、シェルの上側部分の下側リムは、ケーシングの底部を超えて延在し、容器の足または足の一部分として働く。底部５Ｂは、廃棄され、又は足の強度と安定性を増加するためにさらに用いられうる。この例において、底部分は、折り目をつけられ半径方向に延在している区画を備えて、底部の剛性を高め、そして容器の安定な直立状態の姿勢を容易にし、且つ容器が落ちたときにそれを保護する粉々に砕ける帯域を提供している。より具体的には、底部分は、花弁状の足を規定し、かつシェルの頂部の底部端内に逆さまにされそして押されて置かれている。底部分は、シェルの頂部内へクランプされ、接着され、及び／又は、溶接されうる。底部の中心は、ケーシングの底部端に相補的に形成され、これにより相対的に大きな領域にわたり支持を提供する。
【００３９】
さらに安定性を増すために、リムにおいて、壁は、実効的な厚さ及び剛性を高めるために波形にされること、及び／又は、壁は、シェルの円筒形区間の壁よりも実際に厚く、好ましくは少なくとも２倍厚いということは好ましい。
【００４０】
この例において、シェル５の襟６の内径は、バルブ部分３の外径よりも小さく、そしてシェル５の壁は、局所的な締め付けにより画定され且つまたより小さな内径を備えている円周状突出部８を備えている。ケーシングは、バルブ部分３を該突出部を通過するよう押すことによって、スナップ止めされ且つ積極的に係止されうる。
【００４１】
入念に作られたものにおいて、局所的な締め付けによって画定された別の円周状突出部９が、シェル５の下側部分に施与されて、ケーシング２の底部に当接する又はほとんどと当接しかかる。
【００４２】
図３は、シェル５の下側部分がケーシングから自由であり且つ別の締め付けを有する１例を示し、それは蛇腹を効率的に形成し、これにより容器の軸方向での壁の可撓性を局所的に増大させる。
【００４３】
図４および５は、実際の若しくは少なくとも実効的な半径方向の厚さを増すようにするため、シェルの下側部分が、内側に（図４）または外側に（図５）突出する刻み目１１の列によってその外周部にエンボス加工されている１例を示している。一般的に、エンボス加工は、シェルの外側表面上に多数の小さな突出部を備え、例えば、こぶを作られた表面、及び／又は、軸方向に延在する複数の肋骨状の凸凹をもたらす。また、エンボス加工は別の付加的機能を提供しうる。
【００４４】
本発明は、上で記載された実施態様に制限されるものではなく、それらは請求項の範囲内で様々な仕方で変形されうる。
【符号の説明】
【００４５】
１          容器
２          ケーシング
３          バルブ
５          シェル
６          頚部
８、９      突出係止部、外周状突出部
【図１】
2016529174.tif 000003
【図２Ａ】
2016529174.tif 000004
【図２Ｂ】
2016529174.tif 000005
【図２Ｃ】
2016529174.tif 000006
【図３】
2016529174.tif 000007
【図４】
2016529174.tif 000008
【図５】
2016529174.tif 000009
【国際調査報告】
2016529174.tif 000010
2016529174.tif 000011
2016529174.tif 000012
2016529174.tif 000013
2016529174.tif 000014